(57)【要約】【課題】  コードリールが本体と別体であり、コードリールが過熱して、コードリールの被覆の溶融による短絡等の事故が起きる虞がない電気掃除機の提供。【解決手段】  吸込気流を発生させる電動送風機と、吸込気流により集塵する集塵室と、電動送風機に電力供給する為のコードリール、コードリールを冷却する為の冷却ファン、及び電動送風機の運転を検知する運転検知手段を有し、電動送風機及び集塵室と別体であるコードリール部とを備え、運転検知手段が運転を検知したとき（Ｓ１２）は、冷却ファンを始動させる（Ｓ１３）べくなしてある電気掃除機。運転検知手段が運転を検知しなくなったとき（Ｓ２５）は、冷却ファンを停止させる手段（Ｓ２６）を備える構成である。【選択図】        図４
2005168594.tif 000002
【特許請求の範囲】
【請求項１】
吸込気流を発生させる電動送風機と、該吸込気流により集塵する集塵室と、前記電動送風機に電力供給する為のコードリール、該コードリールを冷却する為の冷却ファン、及び前記電動送風機の運転を検知する運転検知手段を有し、前記電動送風機及び集塵室と別体であるコードリール部とを備え、前記運転検知手段が運転を検知したときは、前記冷却ファンを始動させるべくなしてある電気掃除機において、
前記運転検知手段が運転を検知しなくなったときは、前記冷却ファンを停止させる手段を備えることを特徴とする電気掃除機。
【請求項２】
吸込気流を発生させる電動送風機と、該吸込気流により集塵する集塵室と、前記電動送風機に電力供給する為のコードリール、該コードリールを冷却する為の冷却ファン、及び前記電動送風機の運転を検知する運転検知手段を有し、前記電動送風機及び集塵室と別体であるコードリール部とを備え、前記運転検知手段が運転を検知したときは、前記冷却ファンを始動させるべくなしてある電気掃除機において、
前記運転検知手段が運転を検知しなくなってからの時間を計時する手段と、該手段が所定時間を計時したときに、前記冷却ファンを停止させる手段とを備えることを特徴とする電気掃除機。
【請求項３】
前記コードリールの温度を検出する温度検出手段と、該温度検出手段が第１温度以上を検出したときに、警報を出力する手段とを更に備える請求項１又は２記載の電気掃除機。
【請求項４】
前記温度検出手段が、前記第１温度より高い第２温度以上を検出したときに、前記電動送風機への電力供給を停止する停止手段を更に備える請求項３記載の電気掃除機。
【請求項５】
前記停止手段が、電動送風機への電力供給を停止している場合に、前記温度検出手段が、前記第２温度より低い第３温度以下を検出したときに、前記電動送風機への電力供給を再開する手段を更に備える請求項４記載の電気掃除機。
【発明の詳細な説明】
【技術分野】
【０００１】
本発明は、吸込気流を発生させる電動送風機と、吸込気流により集塵する集塵室と、電動送風機に電力供給する為のコードリール、コードリールを冷却する為の冷却ファン、及び電動送風機の運転を検知する運転検知手段を有し、電動送風機及び集塵室と別体であるコードリール部とを備える電気掃除機に関するものである。
【背景技術】
【０００２】
電気掃除機のコードリールを本体と別体にすることは、従来から種々提案されている。特許文献１には、コードリールユニットが滑ったり転倒したりしない為の構造が開示され、特許文献２には、コードリール収納ケースを回動自在に軸支する基台を備え、コードを引き出し易くした構造が開示されている。
また、特許文献３には、ケーシング内の２個のコードドラムを回転装置で駆動し、ケーシング中央部の冷却ファンを挟んで、ケーシングの対向側面に吸気孔と排気孔とを設けることにより、電気機器の移動範囲を拡大すると共に、電流検知手段または温度検知手段により冷却ファンの始動を制御し、電流容量を超えた場合に備えて、アラーム装置を配設して、コードの冷却効果を向上させた、電気掃除機などに使用するコードリール装置が開示されている。
【０００３】
また、特許文献４には、電動送風機を内蔵する吸込み口部の本体とは別体に、巻取り式コードリールや電源回路を搭載する電源供給部を設け、吸込み口部の移動性・操作性を向上させた電気掃除機が開示されている。
【特許文献１】特開平５−４２０８４号公報
【特許文献２】特開平５−１１５３９６号公報
【特許文献３】特開平４−３２２１１６号公報
【特許文献４】特開２００１−１１２６８２号公報
【発明の開示】
【発明が解決しようとする課題】
【０００４】
上述したコードリール装置及び電気掃除機には、コードリールの温度上昇を防ぐ為の冷却ファンを備えたものもあるが、コードリールの被覆の溶融による短絡等の事故を防止する為には、冷却ファンの駆動制御方法等に未だ改良しなければならない点がある。
本発明は、上述したような事情に鑑みてなされたものであり、コードリールが本体と別体であり、コードリールが過熱して、コードリールの被覆の溶融による短絡等の事故が起きる虞がない電気掃除機を提供することを目的とする。
【課題を解決するための手段】
【０００５】
本発明に係る電気掃除機は、吸込気流を発生させる電動送風機と、該吸込気流により集塵する集塵室と、前記電動送風機に電力供給する為のコードリール、該コードリールを冷却する為の冷却ファン、及び前記電動送風機の運転を検知する運転検知手段を有し、前記電動送風機及び集塵室と別体であるコードリール部とを備え、前記運転検知手段が運転を検知したときは、前記冷却ファンを始動させるべくなしてある電気掃除機において、前記運転検知手段が運転を検知しなくなったときは、前記冷却ファンを停止させる手段を備えることを特徴とする。
【０００６】
この電気掃除機では、電動送風機が吸込気流を発生させ、集塵室が吸込気流により集塵する。コードリール部は、コードリールが電動送風機に電力供給し、冷却ファンがコードリールを冷却し、運転検知手段が電動送風機の運転を検知し、電動送風機及び集塵室とは別体である。運転検知手段が運転を検知したときは、冷却ファンを始動させる。停止させる手段は、運転検知手段が運転を検知しなくなったときは、冷却ファンを停止させる。
【０００７】
本発明に係る電気掃除機は、吸込気流を発生させる電動送風機と、該吸込気流により集塵する集塵室と、前記電動送風機に電力供給する為のコードリール、該コードリールを冷却する為の冷却ファン、及び前記電動送風機の運転を検知する運転検知手段を有し、前記電動送風機及び集塵室と別体であるコードリール部とを備え、前記運転検知手段が運転を検知したときは、前記冷却ファンを始動させるべくなしてある電気掃除機において、前記運転検知手段が運転を検知しなくなってからの時間を計時する手段と、該手段が所定時間を計時したときに、前記冷却ファンを停止させる手段とを備えることを特徴とする。
【０００８】
この電気掃除機では、電動送風機が吸込気流を発生させ、集塵室が吸込気流により集塵する。コードリール部は、コードリールが電動送風機に電力供給し、冷却ファンがコードリールを冷却し、運転検知手段が電動送風機の運転を検知し、電動送風機及び集塵室とは別体である。運転検知手段が運転を検知したときは、冷却ファンを始動させる。計時する手段が、運転検知手段が運転を検知しなくなってからの時間を計時し、停止させる手段は、計時する手段が所定時間を計時したときに、冷却ファンを停止させる。
【０００９】
本発明に係る電気掃除機は、前記コードリールの温度を検出する温度検出手段と、該温度検出手段が第１温度以上を検出したときに、警報を出力する手段とを更に備えることを特徴とする。
【００１０】
この電気掃除機では、温度検出手段がコードリールの温度を検出し、出力する手段が、温度検出手段が第１温度以上を検出したときに、警報を出力する。
【００１１】
本発明に係る電気掃除機は、前記温度検出手段が、前記第１温度より高い第２温度以上を検出したときに、前記電動送風機への電力供給を停止する停止手段を更に備えることを特徴とする。
【００１２】
この電気掃除機では、温度検出手段が、第１温度より高い第２温度以上を検出したときに、停止手段が電動送風機への電力供給を停止する。
【００１３】
本発明に係る電気掃除機は、前記停止手段が、電動送風機への電力供給を停止している場合に、前記温度検出手段が、前記第２温度より低い第３温度以下を検出したときに、前記電動送風機への電力供給を再開する手段を更に備えることを特徴とする。
【００１４】
この電気掃除機では、停止手段が、電動送風機への電力供給を停止している場合に、温度検出手段が、第２温度より低い第３温度以下を検出したときに、再開する手段が電動送風機への電力供給を再開する。
【発明の効果】
【００１５】
本発明に係る電気掃除機によれば、コードリールが過熱して、コードリールの被覆の溶融による短絡等の事故が起きる虞がなく、また、冷却ファンの停止忘れによる無駄な電力消費を防止できる、コードリールが本体と別体である電気掃除機を実現することが出来る。
【００１６】
本発明に係る電気掃除機によれば、コードリールが過熱して、コードリールの被覆の溶融による短絡等の事故が起きる虞がなく、また、コードリールを設定温度以下に冷却してから冷却ファンを停止させることが出来、冷却ファンの停止忘れによる無駄な電力消費を防止できる、コードリールが本体と別体である電気掃除機を実現することが出来る。
【００１７】
本発明に係る電気掃除機によれば、コードリールが過熱して、コードリールの被覆の溶融による短絡等の事故が起きる虞がない、コードリールが本体と別体である電気掃除機を実現することが出来る。
【００１８】
本発明に係る電気掃除機によれば、コードリールが過熱して、コードリールの被覆の溶融による短絡等の事故が起きる虞がなく、使用者が予めコードリールの状況を把握でき、電力供給が停止されても不安になることがない、コードリールが本体と別体である電気掃除機を実現することが出来る。
【００１９】
本発明に係る電気掃除機によれば、コードリールが過熱して、コードリールの被覆の溶融による短絡等の事故が起きる虞がなく、電力供給が停止されても、コードリールの温度が下がれば、自動的に電力供給を再開できる、コードリールが本体と別体である電気掃除機を実現することが出来る。
【発明を実施するための最良の形態】
【００２０】
以下に、本発明をその実施の形態を示す図面に基づいて説明する。
（実施の形態１）
図１は、本発明に係る電気掃除機の実施の形態１の構成を示す説明図である。この電気掃除機Ｃは、吸込口５が、延長管６及びホース８を通じて、キャニスタ形状の本体１（電動送風機及び集塵室）内のフィルタ２に接続されている。フィルタ２は、本体１内の集塵室１５に収納されている。本体１内の集塵室１５に隣接してファンモータ１４及びファン１３（電動送風機）が設けられ、フィルタ２で塵埃が濾過された空気を外部へ送り出すように構成されている。
【００２１】
フィルタ２からファン１３への空気の通り道には、フィルタ２の目詰まりを検知する為の圧力センサ３と、圧力センサ３の検知信号が与えられる、ファンモータ１４の制御回路４が設けられている。制御回路４には、また、延長管６に設けられた手元操作部７からの操作信号が与えられる。
本体１及び別体のコードリール部１２は、本体１側の電源コード９及びコードリール部１２側の電源コード１０がコンセント１６により接続され、コードリール部１２には、他に、電源であるＡＣコンセント（図示せず）に接続する為の電源コード１１が設けられている。
【００２２】
図２は、コードリール部１２内部の要部構成例を示すブロック図である。コードリール部１２は、ＡＣ電源接続部２１が、家庭内のＡＣコンセントからＡＣプラグ（図示せず）を介してＡＣ電源の供給を受ける。ＤＣ電源部２２は、ＡＣ電源接続部２１からのＡＣ電源を受けて、制御回路部２０等を駆動する為のＤＣ電源に変換して出力する。電流検知部２３（運転検知手段）は、電源コード１０（図１）に流れている電流を検知することにより、電動送風機１３（図１）に電流が流れていることを検知し、つまり、電気掃除機本体１が運転されていることを検知して、その検知信号を制御回路部２０に与える。
【００２３】
コードリール接続部２４は、通常はＡＣ電源接続部２１からのＡＣ電源を、電源コード１０（図１）が巻かれたコードリール２５に接続して供給すると共に、制御回路部２０から指示信号を受けたときは、コードリール２５への通電を遮断して電力供給を停止する。温度検出部２６（温度検出手段）は、コードリール２５（電源コード１０）の温度を検出し、その検出信号を制御回路部２０へ与える。
【００２４】
冷却ファン２７は、駆動部２８により駆動され、駆動部２８は、制御回路部２０からの指示信号により運転及び停止の制御を受ける。警報部２９は、温度検出部２６の検出温度が設定温度以上になったときに、制御回路部２０からの指示信号により、ＬＥＤ（Light Emitting Diode）の点滅又はブザー等による警報を出力する。制御回路部２０には計時する為のタイマ３０が設けられている。
【００２５】
以下に、このような構成の電気掃除機のコードリール部１２の動作を、それを示す図３のフローチャートを参照しながら説明する。
コードリール部１２の制御回路部２０は、電流検知部２３が電流を検知する迄（Ｓ２）待機しており（Ｓ１）、電流検知部２３が電流を検知して、電動送風機１３の運転を検知したときは（Ｓ２）、冷却ファン２７の運転を開始させる（Ｓ３）。
制御回路部２０は、冷却ファン２７の運転中に、電流検知部２３が、電源コード１０に流れる電流の遮断を検知し、電動送風機１３の運転を検知しなくなったときは（Ｓ４）、タイマ３０に設定時間の計時を開始させ、設定時間が経過したときは（Ｓ５）、冷却ファン２７を停止させ（Ｓ６）、待機状態に入る（Ｓ１）。
【００２６】
（実施の形態２）
図４は、本発明に係る電気掃除機の実施の形態２のコードリール部の動作を示すフローチャートである。以下に、このフローチャートを参照しながら、コードリール部の動作を説明する。尚、本発明に係る電気掃除機の実施の形態２の構成は、上述した実施の形態１の構成と同じであるので、説明を省略する。
コードリール部１２の制御回路部２０は、先ず、フラグＦ１を初期化して０とした（Ｓ１０）後、電流検知部２３が電流を検知する迄（Ｓ１２）待機しており（Ｓ１１）、電流検知部２３が電流を検知し、電動送風機１３の運転を検知したときは（Ｓ１２）、冷却ファン２７の運転を開始させる（Ｓ１３）。
【００２７】
制御回路部２０は、冷却ファン２７の運転中に、温度検出部２６が検出した温度を監視しており、その温度が警報温度（第１温度）以上になれば（Ｓ１４）、フラグＦ１が１であるか否かを判定して（Ｓ１５）、１でなければ、警報部２９から警報出力を開始させ（Ｓ１６）、フラグＦ１を１にする（Ｓ１７）。
制御回路部２０は、警報出力中に温度検出部２６が検出した温度が、警報温度より高い遮断温度（第２温度）以上になれば（Ｓ１８）、コードリール接続部２４にコードリール２５（電源コード１０）へのＡＣ電源を遮断させ、電力供給を停止させる（Ｓ１９）。
【００２８】
制御回路部２０は、ＡＣ電源を遮断させた（Ｓ１９）後、温度検出部２６が検出した温度が、遮断温度より低い設定温度（第３温度）以下になれば（Ｓ２０）、コードリール接続部２４にコードリール２５（電源コード１０）へのＡＣ電源を接続させ、電力供給を再開させる（Ｓ２１）。その後、電流検知部２３が電流を検知する迄（Ｓ１２）待機する（Ｓ１１）。
【００２９】
制御回路部２０は、フラグＦ１が１であれば（Ｓ１５）、温度検出部２６が検出した温度が、警報温度より高い遮断温度（第２温度）以上であるか否かを判定する（Ｓ１８）。
制御回路部２０は、冷却ファン２７の運転中に、温度検出部２６が検出した温度が警報温度（第１温度）以上でなければ（Ｓ１４）、フラグＦ１が１であるか否かを判定して（Ｓ２２）、１であれば、警報部２９からの警報出力を停止させ（Ｓ２３）、フラグＦ１を０にする（Ｓ２４）。
【００３０】
制御回路部２０は、フラグＦ１が１でないとき（Ｓ２２）、又はフラグＦ１を０にした（Ｓ２４）後、電流検知部２３が電流の遮断を検知するか否かを判定し（Ｓ２５）、電流の遮断を検知し、電動送風機１３の運転を検知しなくなったときは、冷却ファン２７の運転を停止させる（Ｓ２６）。その後、電流検知部２３が電流を検知する迄（Ｓ１２）待機する（Ｓ１１）。
【００３１】
制御回路部２０は、電流検知部２３が電流の遮断を検知しないときは（Ｓ２５）、温度検出部２６が検出した温度が警報温度（第１温度）以上であるか否かを判定する（Ｓ１４）。
制御回路部２０は、温度検出部２６が検出した温度が、警報温度より高い遮断温度（第２温度）以上でなければ（Ｓ１８）、電流検知部２３が電流の遮断を検知するか否かを判定する（Ｓ２５）。
【００３２】
（実施の形態３）
図５は、本発明に係る電気掃除機の実施の形態３のコードリール部の動作を示すフローチャートである。以下に、このフローチャートを参照しながら、コードリール部の動作を説明する。尚、本発明に係る電気掃除機の実施の形態３の構成は、上述した実施の形態１の構成と同じであるので、説明を省略する。
コードリール部１２の制御回路部２０は、先ず、フラグＦ２を初期化して０とした（Ｓ３０）後、電流検知部２３が電流を検知する迄（Ｓ３２）待機している（Ｓ３１）。
【００３３】
制御回路部２０は、電流検知部２３が電流を検知し、電動送風機１３の運転を検知したときは（Ｓ３２）、温度検出部２６が検出した温度が、冷却温度以上であるか否かを判定し（Ｓ３３）、冷却温度以上であれば、フラグＦ２が１であるか否かを判定する（Ｓ３４）。フラグＦ２が１でなければ、冷却ファン２７の運転を開始させ（Ｓ３５）、フラグＦ２を１にする（Ｓ３６）。
【００３４】
制御回路部２０は、温度検出部２６が検出した温度が、冷却温度以上でなければ（Ｓ３３）、フラグＦ２が１であるか否かを判定し（Ｓ３７）、フラグＦ２が１であれば、冷却ファン２７の運転を停止させ（Ｓ３８）、フラグＦ２を０にする（Ｓ３９）。
制御回路部２０は、フラグＦ２が１でないとき（Ｓ３７）、又はフラグＦ２を０にしたときは（Ｓ３９）、電流検知部２３が電流の遮断を検知するか否かを判定する（Ｓ４０）。
【００３５】
制御回路部２０は、電流の遮断を検知し、電動送風機１３の運転を検知しなくなったときは（Ｓ４０）、フラグＦ２が１であるか否かを判定し（Ｓ４１）、フラグＦ２が１であれば、冷却ファン２７の運転を停止させ（Ｓ４２）、フラグＦ２を０にした（Ｓ４３）後、電流検知部２３が電流を検知する迄（Ｓ３２）待機する（Ｓ３１）。また、フラグＦ２が１でないとき（Ｓ４１）、電流検知部２３が電流を検知する迄（Ｓ３２）待機する（Ｓ３１）。
制御回路部２０は、フラグＦ２が１であるとき（Ｓ３４）、又はフラグＦ２を１にしたときは（Ｓ３６）、電流検知部２３が電流の遮断を検知するか否かを判定する（Ｓ４０）。
【図面の簡単な説明】
【００３６】
【図１】本発明に係る電気掃除機の実施の形態の構成を示す説明図である。
【図２】コードリール部内部の要部構成例を示すブロック図である。
【図３】本発明に係る電気掃除機のコードリール部の動作を示すフローチャートである。
【図４】本発明に係る電気掃除機のコードリール部の動作を示すフローチャートである。
【図５】本発明に係る電気掃除機のコードリール部の動作を示すフローチャートである。
【符号の説明】
【００３７】
１  本体（電動送風機及び集塵室）
２  フィルタ
５  吸込口
１０  電源コード
１２  コードリール部
１３  ファン（電動送風機）
１４  ファンモータ（電動送風機）
１５  集塵室
２０  制御回路部
２１  ＡＣ電源接続部
２２  ＤＣ電源部
２３  電流検知部（運転検知手段）
２４  コードリール接続部（停止手段、再開する手段）
２５  コードリール
２６  温度検出部（温度検出手段）
２７  冷却ファン
２８  駆動部
２９  警報部
３０  タイマ（計時する手段）
Ｃ  電気掃除機
【図１】
2005168594.tif 000003
【図２】
2005168594.tif 000004
【図３】
2005168594.tif 000005
【図４】
2005168594.tif 000006
【図５】
2005168594.tif 000007